【手続補正書】
【提出日】平成25年12月11日(2013.12.11)
【手続補正１】
【補正対象書類名】特許請求の範囲
【補正対象項目名】請求項２１
【補正方法】変更
【補正の内容】
【請求項２１】
製品をカテゴリ分類するためのコンピュータプログラムであって、
取得されたデータから複数の製品のタイトルを抽出するための機能と、
前記タイトルをフレーズに分割するための機能と、
前記フレーズについての各スコアを決定するための機能と、
前記フレーズについての前記決定された各スコアに少なくとも部分的に基づいて選択された前記フレーズの少なくとも１つを使用して、前記複数の製品のうちの第１の製品に対応する第１のワードシーケンスを構成するための機能と、
前記第１のワードシーケンスを前記複数の製品のうちの第２の製品に対応する第２のワードシーケンスと比較するための機能と、
前記比較に少なくとも部分的に基づいて、前記複数の製品のうちの前記第１の製品と前記第２の製品とを統合して１つの製品カテゴリに入れるための機能と、
をコンピュータによって実現させる、コンピュータプログラム。
【手続補正２】
【補正対象書類名】明細書
【補正対象項目名】００６８
【補正方法】変更
【補正の内容】
【００６８】
以上の実施形態は、理解を明瞭にする目的で幾らか詳細に説明されてきたが、本発明は、提供された詳細に限定されない。本発明の実現には、多くの代替的手法がある。開示された実施形態は、例示のためであって、限定的なものではない。
適用例１：製品をカテゴリ分類するための方法であって、取得されたデータから複数の製品のタイトルを抽出することと、前記タイトルをフレーズに分割することと、前記フレーズについての各スコアを決定することと、前記フレーズについての前記決定された各スコアに少なくとも部分的に基づいて選択された前記フレーズの少なくとも１つを使用して、前記複数の製品のうちの第１の製品に対応する第１のワードシーケンスを構成することと、前記第１のワードシーケンスを前記複数の製品のうちの第２の製品に対応する第２のワードシーケンスと比較することと、前記比較に少なくとも部分的に基づいて、前記複数の製品のうちの前記第１の製品と前記第２の製品とを統合して１つの製品カテゴリに入れることと、を備える方法。
適用例２：適用例１に記載の方法であって、更に、第１の製品カテゴリと第２の製品カテゴリとの間における類似度を決定することと、前記決定された類似度が合体閾値に少なくとも見合う場合に、前記第１の製品カテゴリを前記第２の製品カテゴリと合体させることと、を備える方法。
適用例３：適用例１に記載の方法であって、前記フレーズについての各スコアを決定することは、フレーズの過去発生頻度に少なくとも部分的に基づく、方法。
適用例４：適用例１に記載の方法であって、更に、前記取得されたデータから前記複数の製品についての属性情報を抽出し、前記属性情報をフレーズに分割することを備える方法。
適用例５：適用例１に記載の方法であって、前記第１のワードシーケンスを前記複数の製品のうちの第２の製品についての第２のワードシーケンスと比較することは、前記第１のワードシーケンスが前記第２のワードシーケンスに類似しているか否かを決定することを含む、方法。
適用例６：適用例５に記載の方法であって、前記第１のワードシーケンスが前記第２のワードシーケンスに類似しているか否かを決定することは、一致率に少なくとも部分的に基づく、方法。
適用例７：適用例１に記載の方法であって、前記複数の製品のうちの前記第１の製品と前記第２の製品とを統合して１つの製品カテゴリに入れることは、前記複数の製品のうちの前記第１の製品及び前記第２の製品に関連付けられたデータを統合することを含む、方法。
適用例８：適用例１に記載の方法であって、前記複数の製品のうちの前記第１の製品と前記第２の製品とを統合して１つの製品カテゴリに入れることは、前記複数の製品のうちの前記第１の製品及び前記第２の製品の両方を１つのカテゴリ識別子とともに記憶させることを含む、方法。
適用例９：適用例２に記載の方法であって、類似度を決定することは、前記第１の製品カテゴリに対応する決定されたスコア及び前記第２の製品カテゴリに対応する決定されたスコアに基づいて値を計算することを含む、方法。
適用例１０：適用例２に記載の方法であって、前記第１の製品カテゴリを前記第２の製品カテゴリと合体させることは、前記第１の製品カテゴリ及び前記第２の製品カテゴリを同じカテゴリ識別子とともに記憶させることを含む、方法。
適用例１１：製品をカテゴリ分類するためのシステムであって、１つ又は２つ以上のプロセッサと、前記１つ又は２つ以上のプロセッサに接続され、前記１つ又は２つ以上のプロセッサに命令を提供するように構成されているメモリと、を備え、
前記１つ又は２つ以上のプロセッサは、取得されたデータから複数の製品のタイトルを抽出し、前記タイトルをフレーズに分割し、前記フレーズについての各スコアを決定し、前記フレーズについての前記決定された各スコアに少なくとも部分的に基づいて選択された前記フレーズの少なくとも１つを使用して、前記複数の製品のうちの第１の製品に対応する第１のワードシーケンスを構成し、前記第１のワードシーケンスを前記複数の製品のうちの第２の製品に対応する第２のワードシーケンスと比較し、前記比較に少なくとも部分的に基づいて、前記複数の製品のうちの前記第１の製品と前記第２の製品とを統合して１つの製品カテゴリに入れるように、構成されている、システム。
適用例１２：適用例１１に記載のシステムであって、前記１つ又は２つ以上のプロセッサは、更に、  第１の製品カテゴリと第２の製品カテゴリとの間における類似度を決定し、前記決定された類似度が合体閾値を越えるか否かに基づいて、前記第１の製品カテゴリを前記第２の製品カテゴリと合体させるように、構成されている、システム。
適用例１３：適用例１１に記載のシステムであって、前記１つ又は２つ以上のプロセッサは、フレーズの過去発生頻度に少なくとも部分的に基づいて、前記フレーズについての各スコアを決定するように構成されている、システム。
適用例１４：適用例１１に記載のシステムであって、前記１つ又は２つ以上のプロセッサは、更に、取得されたデータから前記複数の製品についての属性情報を抽出し、前記属性情報をフレーズに分割するように構成されている、システム。
適用例１５：適用例１１に記載のシステムであって、前記１つ又は２つ以上のプロセッサは、前記第１のワードシーケンスが前記第２のワードシーケンスに類似しているか否かを決定することを含み、前記第１のワードシーケンスを前記複数の製品のうちの第２の製品についての第２のワードシーケンスと比較する、ように構成されている、システム。
適用例１６：適用例１５に記載のシステムであって、前記１つ又は２つ以上のプロセッサは、一致率に少なくとも部分的に基づいて、前記第１のワードシーケンスが前記第２のワードシーケンスに類似しているか否かを決定するように構成されている、システム。
適用例１７：適用例１１に記載のシステムであって、前記１つ又は２つ以上のプロセッサは、前記複数の製品のうちの前記第１の製品及び前記第２の製品に関連付けられたデータを統合することを含み、前記複数の製品のうちの前記第１の製品と前記第２の製品とを統合して１つの製品カテゴリに入れるように構成されている、システム。
適用例１８：適用例１１に記載のシステムであって、前記１つ又は２つ以上のプロセッサは、前記複数の製品のうちの前記第１の製品及び前記第２の製品の両方を同じカテゴリ識別子とともに記憶させることを含み、前記複数の製品のうちの前記第１の製品と前記第２の製品とを統合して１つの製品カテゴリに入れるように構成されている、システム。
適用例１９：適用例１１に記載のシステムであって、前記１つ又は２つ以上のプロセッサは、前記第１の製品カテゴリに対応する決定されたスコア及び前記第２の製品カテゴリに対応する決定されたスコアに基づいて値を計算することを含み、類似度を決定するように構成されている、システム。
適用例２０：適用例１２に記載のシステムであって、前記１つ又は２つ以上のプロセッサは、前記第１の製品カテゴリ及び前記第２の製品カテゴリを１つのカテゴリ識別子とともに記憶させることを含み、前記第１の製品カテゴリを前記第２の製品カテゴリと合体させるように構成されている、システム。
適用例２１：製品をカテゴリ分類するためのコンピュータプログラム製品であって、コンピュータによって読み取り可能なストレージ媒体に実装され、取得されたデータから複数の製品のタイトルを抽出するためのコンピュータ命令と、前記タイトルをフレーズに分割するためのコンピュータ命令と、前記フレーズについての各スコアを決定するためのコンピュータ命令と、前記フレーズについての前記決定された各スコアに少なくとも部分的に基づいて選択された前記フレーズの少なくとも１つを使用して、前記複数の製品のうちの第１の製品に対応する第１のワードシーケンスを構成するためのコンピュータ命令と、前記第１のワードシーケンスを前記複数の製品のうちの第２の製品に対応する第２のワードシーケンスと比較するためのコンピュータ命令と、前記比較に少なくとも部分的に基づいて、前記複数の製品のうちの前記第１の製品と前記第２の製品とを統合して１つの製品カテゴリに入れるためのコンピュータ命令と、を備えるコンピュータプログラム製品。